(57)【要約】      （修正有）【課題】回路板の受力を均一化し、且つ回路板が端縁から跳ね上がるのを防止し、回路板の良品率を高める傾斜吸引方向を備えた噴射装置を提供する。【解決手段】傾斜吸引方向を備えた噴射装置１０は、輸送機構、スプレーノズル機構２及び吸引機構３を含む。スプレーノズル機構は、輸送機構の一側に対応して配置され、連通管２１及び連通管と相互に連通する少なくとも一噴射管２２を含む。噴射管は複数のスプレーノズル２２１を備え、数個のスプレーノズルが第一配列方向Ｌ１に配列される。吸引機構は輸送機構に近い一側に設置され、少なくとも一吸引パイプ３１を含み、吸引パイプは複数の吸引ヘッド３１１を備え、数個の吸引ヘッドが第二配列方向Ｌ２に配列され、第一配列方向と第二配列方向の間は夾角θを備える。【選択図】図２
0003196842.tif 000002
【実用新案登録請求の範囲】
【請求項１】
傾斜吸引方向を備えた噴射装置において、
輸送機構と、
該輸送機構の一側に対応して配置し、連通管及び該連通管と相互に連通する少なくとも一噴射管を含み、該噴射管は複数のスプレーノズルを備え、該複数のスプレーノズルは第一配列方向に位置づけるスプレーノズル機構と、
該輸送機構の一側近くに設置し、少なくとも一吸引パイプを含み、該吸引パイプは複数の吸引ヘッドを備え、該複数の吸引ヘッドは第二配列方向に位置づけ、該第一配列方向と該第二配列方向の間は夾角を備える吸引機構を含むことを特徴とする傾斜吸引方向を備えた噴射装置。
【請求項２】
前記夾角は鋭角であることを特徴とする請求項１記載の傾斜吸引方向を備えた噴射装置。
【請求項３】
前記噴射管と吸引パイプは、数量がそれぞれ複数であり、該複数の噴射管と該複数の吸引パイプは相互の間隔が開いて並列し、且つ各該吸引パイプは各該噴射管の一側に設置することを特徴とする請求項１記載の傾斜吸引方向を備えた噴射装置。
【請求項４】
前記傾斜吸引方向を備えた噴射装置は、更に除液槽、第一還流パイプライン及び第二還流パイプラインを含み、該第一還流パイプラインの一端は該吸引パイプに連通し、別一端は該除液槽に連通し、該第二還流パイプラインの一端は該除液槽に連通し、別一端は該連通管に連通することを特徴とする請求項１記載の傾斜吸引方向を備えた噴射装置。
【請求項５】
前記スプレーノズル機構は、該輸送機構の上方に配置することを特徴とする請求項１記載の傾斜吸引方向を備えた噴射装置。
【請求項６】
前記傾斜吸引方向を備えた噴射装置は、更に補助スプレーノズル機構を含み、該補助スプレーノズル機構は該輸送機構の下方に設置することを特徴とする請求項５記載の傾斜吸引方向を備えた噴射装置。
【請求項７】
前記補助スプレーノズル機構は、補助連通管及び該補助連通管と相互に連通する複数の補助噴射管を含み、該複数の補助噴射管は互いに間隔を開けて並列し、各該補助噴射管は複数の補助スプレーノズルを備えることを特徴とする請求項６記載の傾斜吸引方向を備えた噴射装置。
【請求項８】
前記傾斜吸引方向を備えた噴射装置は、更に除液槽、第一還流パイプライン、第二還流パイプライン及び第三還流パイプラインを含み、該第一還流パイプラインの一端は該吸引パイプに連通し、別一端は該除液槽に連通し、該第二還流パイプラインの一端は該除液槽に連通し、別一端は該連通管に通じ、該第三還流パイプラインの一端は該除液槽に連通し、別一端は該補助連通管に連通することを特徴とする請求項７記載の傾斜吸引方向を備えた噴射装置。
【請求項９】
前記該除液槽は、該輸送機構の下方に配置することを特徴とする請求項４もしくは８記載の傾斜吸引方向を備えた噴射装置。
【請求項１０】
前記輸送機構は、重疊配列の複数の上コンベアユニット及び複数の下コンベアユニットを含み、各該吸引ヘッドは該等上コンベアユニットの間に設置することを特徴とする請求項１記載の傾斜吸引方向を備えた噴射装置。
【考案の詳細な説明】
【技術分野】
【０００１】
本考案は、一種の回路板の加工処理に対する噴射装置に関するもので、特に傾斜吸引方向を備えた噴射装置に係る。
【背景技術】
【０００２】
回路板の製作過程では通常、噴射装置を使用して回路板に対してエッチング処理を行う。噴射装置は主に輸送機構、スプレーノズル機構及び吸引機構を含み、噴射装置は噴射と吸引機能を同時に備える。輸送機構が回路板をスプレーノズル機構と吸引機構下方へ送り、スプレーノズル機構が回路板に対して腐食液、現像液もしくはフラッシング液等処理液を噴射する。吸引機構は即座に回路板上の処理液を吸引し、回路板上の処理液過多を防止し、回路板に過度もしくは不均衡なエッチングの状況が発生するのを防止する。
【考案の概要】
【考案が解決しようとする課題】
【０００３】
解決しようとする問題点は、先ず、スプレーノズル機構の各スプレーノズルが回路板の噴射力に対して同じでなく、回路板の受力が不均衡となり、加工正確性に影響を与える。次に、スプレーノズル機構、吸引機構と回路板の端縁は互いに平行配置していることから、回路板が端縁からスプレーノズル機構によって吸引されて跳ね上がりやすく、回路板の良品率が下がるという欠点がある。
【０００４】
上述の点から、本考案者は上述の現在の技術に対して上述の問題を解決することを本考案の目的とする。
【課題を解決するための手段】
【０００５】
本考案は、噴射装置は輸送機構、スプレーノズル機構及び吸引機構を含む。スプレーノズル機構は、輸送機構の一側に対応して配置し、スプレーノズル機構は連通管及び連通管と相互に連通する少なくとも一噴射管を含む。噴射管は複数のスプレーノズルを備え、数個のスプレーノズルは第一配列方向に位置づける。吸引機構は輸送機構に近い一側に設置し、吸引機構は少なくとも一吸引パイプを含み、吸引パイプは複数の吸引ヘッドを備え、数個の吸引ヘッドは第二配列方向に位置づけ、第一配列方向と第二配列方向の間は夾角を備えることを最も主要な特徴とする。
【考案の効果】
【０００６】
本考案の傾斜吸引方向を備えた噴射装置は、以下の利点がある。
【０００７】
一つ目は、各噴射管と連通管は相互に連通し，各スプレーノズルの噴射力が同じになり、回路板の受力を均一化し、回路板が加工處理過程において皺折れや折曲の状況が発生するのを防止し、加工処理の確実性を高める。
【０００８】
二つ目は、本考案の噴射装置が更に除液槽、第一還流パイプライン及び第二還流パイプラインを含み、吸引機構によって吸引した処理液をスプレーノズル機構に循環させて再利用させることで噴射装置に環境保護機能及びコストを下げる長所を備える。
【０００９】
三つ目は、各吸引パイプ上の数個の吸引ヘッドと噴射管に近い数個のスプレーノズルの間は夾角を備えるため、吸引パイプ上の数個の吸引ヘッドと回路板の端縁が傾斜で配置され、回路板の端縁が吸引機構によって吸引されて跳ね上がるのを防止し、回路板の良品率の向上を達成する。
【図面の簡単な説明】
【００１０】
【図１】本考案の噴射装置の指示図である。
【図２】本考案の噴射装置の俯瞰図である。
【図３】本考案の噴射装置の使用状態指示図である。
【図４】本考案の噴射装置の別の使用状態指示図である。
【図５】本考案の噴射装置の更に別の使用状態指示図である。
【考案を実施するための形態】
【００１１】
各スプレーノズルの噴射力が同じになることで回路板の受力が均一化し、且つ単一の吸引パイプ上の数個の吸引ヘッドと回路板の端縁が非平行配列であるため、回路板が端縁から跳ね上がるのを防止し、回路板の良品率を向上させる傾斜吸引方向を備えた噴射装置を提供することを本考案の目的とする。
【００１２】
上述の目的を達成するため、本考案は傾斜吸引方向を備えた噴射装置を提供する。それは輸送機構、スプレーノズル機構を含み、該輸送機構の一側に対応して配置する。該スプレーノズル機構は、連通管及び該連通管と相互に連通する少なくとも一噴射管を含み、該噴射管は複数のスプレーノズルを備える。該複数のスプレーノズルは第一配列方向に位置づけ、更に吸引機構の該輸送機構に近い一側に設置し、該吸引機構は少なくとも一吸引パイプを含む。該吸引パイプは複数の吸引ヘッドを備え、該複数の吸引ヘッドは第二配列方向に位置づけ、該第一配列方向と該第二配列方向の間は夾角を備える。
【実施例】
【００１３】
本考案の詳細説明及び技術内容について、図式と共に以下に説明する。しかし、図式は説明に用いるだけで本考案を制限するものではない。
【００１４】
図１から図５に示すとおり、本考案は傾斜吸引方向を備えた噴射装置を提供し、その噴射装置１０は主に輸送機構１、スプレーノズル機構２及び吸引機構３を含む。
【００１５】
図１、図５に示すとおり、輸送機構１は上、下層配列の複数の上コンベアユニット１１及び複数の下コンベアユニット１２を含み、回路板１００を上コンベアユニット１１と下コンベアユニット１２の間に挿入する。上コンベアユニット１１及び下コンベアユニット１２が共同で回路板１００をスプレーノズル機構２と吸引機構３下方まで運ぶ。
【００１６】
図１から図５までが示すとおり、スプレーノズル機構２は輸送機構１の一側に配置して対応する。詳細は以下のとおりであり、スプレーノズル機構２は輸送機構１の上方に配置し、スプレーノズル機構２は連通管２１及び連通管２１と相互に連通する一もしくは複数の噴射管２２を含む。本実施例は噴射管２２の数が複数であり、各噴射管２２の間隔は並列であり、各噴射管２２は複数のスプレーノズル２２１を備え、複数個のスプレーノズル２２１は第一配列方向Ｌ１に位置づける。
【００１７】
図１から図５に示すとおり、吸引機構３は輸送機構１に隣接する一側に設置する。吸引機構３は一もしくは複数の吸引パイプ３１を含み、本実施例の吸引パイプ３１の数量は複数とする。各吸引パイプ３１の間隔は並列で、且つ各吸引パイプ３１は数個の上コンベアユニット１１の間及び各噴射管２２の一側に設置する。各吸引パイプ３１は複数の吸引ヘッド３１１を備え、数個の吸引ヘッド３１１は第二配列方向Ｌ２を位置づけ、第一配列方向Ｌ１と第二配列方向Ｌ２の間は夾角θを備え、夾角θの最良の実施例は鋭角とする。
【００１８】
図１、図３、図５に示すとおり、本考案の噴射装置１０は更に補助スプレーノズル機構４を含む。補助スプレーノズル機構４は輸送機構１の下方に設置し、補助スプレーノズル機構４は補助連通管４１及び補助連通管４１と相互に連通する複数の補助噴射管４２を含み、各補助噴射管４２は互いに間隔を開けて並列し、各補助噴射管４２は複数の補助スプレーノズル４２１を備える。
【００１９】
図１、図３に示すとおり、本考案の噴射装置１０は更に除液槽５、第一還流パイプライン６、第二還流パイプライン７及び第三還流パイプライン８を含む。第一還流パイプライン６の一端は各吸引パイプ３１に連通し、別一端は除液槽５に連通する。第二還流パイプライン７の一端は、除液槽５に連通し、別一端は連通管２１に連通する。第三還流パイプライン８の一端は除液槽５に連通し、別一端は補助連通管４１に連通する。そのうち、除液槽５は輸送機構１の下方に配置する。
【００２０】
図１から図３に示すとおり、本考案の噴射装置１０の組み立ては、スプレーノズル機構２を輸送機構１の一側に対応して配置し、スプレーノズル機構２の連通管２１及び連通管２１と相互に連通する噴射管２２を含み、噴射管２２は数個のスプレーノズル２２１を備え、数個のスプレーノズル２２１は第一配列方向Ｌ１に位置づける。吸引機構３は輸送機構１に近い一側に設置する。吸引機構３は吸引パイプ３１を含み、吸引パイプ３１は数個の吸引ヘッド３１１を備え、数個の吸引ヘッド３１１は第二配列方向Ｌ２に位置づける。第一配列方向Ｌ１と第二配列方向Ｌ２の間は夾角θを備える。これらに拠って、各スプレーノズル２２１の噴射力は同じになり、回路板１００の受力は均一化し、且つ単一吸引パイプ３１上の数個の吸引ヘッド３１１と回路板１００の端縁１０１は非平行に配列し、回路板１００が端縁１０１から飛び出すのを防止し、回路板１００の良品率を向上させる。
【００２１】
図３から図５に示すのは、本考案の噴射装置１０の使用状態であり、上コンベアユニット１１及び下コンベアユニット１２が共同で回路板１００をスプレーノズル機構２と吸引機構３下方まで運ぶ。スプレーノズル機構２は回路板１００に対して腐食液、現像液もしくはフラッシング液等処理液を噴射し、吸引機構３は即座に回路板１００上の処理液を吸引し、回路板１００上の処理液が過多となるのを防止し、回路板１００に過度な、もしくは不均衡なエッチングの状況が発生するのを防止する。
【００２２】
その他、図３に示すとおり、各噴射管２２と連通管２１は相互に連通し、各スプレーノズル２２１の噴射力を同じにする。各補助噴射管４２と補助連通管４１は相互に連通し，各補助スプレーノズル４２１の噴射力を同じにする。各スプレーノズル２２１、各補助スプレーノズル４２１は回路板１００の噴射力に対して同じになり回路板１００の受力を均一化し、回路板１００が加工処理過程に於いて皺や折り曲がり等発生状況を防止し、更に加工処理の確実性を向上させる。
【００２３】
更に、図３に示すとおり、本考案の噴射装置１０は更に除液槽５、第一還流パイプライン６、第二還流パイプライン７及び第三還流パイプライン８を含む。第一還流パイプライン６の一端は各吸引パイプ３１に連通し、別一端は除液槽５に連通する。第二還流パイプライン７の一端は除液槽５に連通し、別一端は連通管２１に連通する。第三還流パイプライン８の一端は除液槽５に連通し、別一端は補助連通管４１に連通する。これにより、吸引機構３が吸引した処理液はスプレーノズル機構２及び補助スプレーノズル機構４で循環して再利用され、噴射装置１０の環境保護機能、コスト節約の長所を備える。
【００２４】
公知の噴射装置のスプレーノズル機構はスプレーノズル機構が回路板に対して調整及び正確に加工しやすくするために回路板の端縁と平行配置する必要があった。しかし、スプレーノズル機構と吸引機構は平行配置であるため、吸引機構と回路板の端縁も平行配置し、吸引機構の吸引力と回路板の端縁が同一線上で重畳することで回路板は容易に端縁からスプレーノズル機構によって吸引されて跳ね上げられた。
【００２５】
図４と図５に示すとおり、本考案の第一配列方向Ｌ１と第二配列方向Ｌ２の間は夾角θを備え、即ち各吸引パイプ３１上の数個の吸引ヘッド３１１と噴射管２２に近い数個のスプレーノズル２２１の間は夾角θを備えるため、吸引パイプ３１上の数個の吸引ヘッド３１１と回路板１００の端縁１０１は傾斜して配置され、吸引パイプ３１上の数個の吸引ヘッド３１１の吸引力と回路板１００の端縁１０１が同一線上で重ならないため、回路板１００の端縁１０１が吸引機構３によって吸引されて跳ね上がるのを防止し、回路板１００の良品率の向上を達成する。
【００２６】
上述のとおり、本考案の傾斜吸引方向を備えた噴射装置は予定の使用目的を達成し、公知の欠点を解決し、産業利用性、新規性及び進歩性を備え、完全に実用新案申請の要件に符合する。
【符号の説明】
【００２７】
１        輸送機構
１０      噴射装置
１１      上コンベアユニット
１２      下コンベアユニット
２        スプレーノズル機構
２１      連通管
２２      噴射管
２２１    スプレーノズル
３        吸引機構
３１      吸引パイプ
３１１    吸引ヘッド
４        補助スプレーノズル機構
４１      補助連通管
４２      補助噴射管
４２１    補助スプレーノズル
５        除液槽
６        第一還流パイプライン
７        第二還流パイプライン
８        第三還流パイプライン
θ        夾角
Ｌ１      第一配列方向
Ｌ２      第二配列方向
１００    回路板
１０１    端縁
【図１】
0003196842.tif 000003
【図２】
0003196842.tif 000004
【図３】
0003196842.tif 000005
【図４】
0003196842.tif 000006
【図５】
0003196842.tif 000007
【手続補正書】
【提出日】平成27年2月4日(2015.2.4)
【手続補正１】
【補正対象書類名】実用新案登録請求の範囲
【補正対象項目名】全文
【補正方法】変更
【補正の内容】
【実用新案登録請求の範囲】
【請求項１】
傾斜吸引方向を備えた噴射装置において、
輸送機構と、
該輸送機構の一側に対応して配置し、連通管及び該連通管と相互に連通する少なくとも一噴射管を含み、該噴射管は複数のスプレーノズルを備え、該複数のスプレーノズルは第一配列方向に位置づけるスプレーノズル機構と、
該輸送機構の一側近くに設置し、少なくとも一吸引パイプを含み、該吸引パイプは複数の吸引ヘッドを備え、該複数の吸引ヘッドは第二配列方向に位置づけ、該第一配列方向と該第二配列方向の間は夾角を備える吸引機構を含むことを特徴とする傾斜吸引方向を備えた噴射装置。
【請求項２】
前記夾角は鋭角であることを特徴とする請求項１記載の傾斜吸引方向を備えた噴射装置。
【請求項３】
前記噴射管と吸引パイプは、数量がそれぞれ複数であり、該複数の噴射管と該複数の吸引パイプは相互の間隔が開いて並列し、且つ各該吸引パイプは各該噴射管の一側に設置することを特徴とする請求項１記載の傾斜吸引方向を備えた噴射装置。
【請求項４】
前記傾斜吸引方向を備えた噴射装置は、更に除液槽、第一還流パイプライン及び第二還流パイプラインを含み、該第一還流パイプラインの一端は該吸引パイプに連通し、別一端は該除液槽に連通し、該第二還流パイプラインの一端は該除液槽に連通し、別一端は該連通管に連通することを特徴とする請求項１記載の傾斜吸引方向を備えた噴射装置。
【請求項５】
前記スプレーノズル機構は、該輸送機構の上方に配置することを特徴とする請求項１記載の傾斜吸引方向を備えた噴射装置。
【請求項６】
前記傾斜吸引方向を備えた噴射装置は、更に補助スプレーノズル機構を含み、該補助スプレーノズル機構は該輸送機構の下方に設置することを特徴とする請求項５記載の傾斜吸引方向を備えた噴射装置。
【請求項７】
前記補助スプレーノズル機構は、補助連通管及び該補助連通管と相互に連通する複数の補助噴射管を含み、該複数の補助噴射管は互いに間隔を開けて並列し、各該補助噴射管は複数の補助スプレーノズルを備えることを特徴とする請求項６記載の傾斜吸引方向を備えた噴射装置。
【請求項８】
前記傾斜吸引方向を備えた噴射装置は、更に除液槽、第一還流パイプライン、第二還流パイプライン及び第三還流パイプラインを含み、該第一還流パイプラインの一端は該吸引パイプに連通し、別一端は該除液槽に連通し、該第二還流パイプラインの一端は該除液槽に連通し、別一端は該連通管に通じ、該第三還流パイプラインの一端は該除液槽に連通し、別一端は該補助連通管に連通することを特徴とする請求項７記載の傾斜吸引方向を備えた噴射装置。
【請求項９】
前記該除液槽は、該輸送機構の下方に配置することを特徴とする請求項４もしくは８記載の傾斜吸引方向を備えた噴射装置。
【請求項１０】
前記輸送機構は、重疊配列の複数の上コンベアユニット及び複数の下コンベアユニットを含み、各該吸引ヘッドは該上下コンベアユニットの間に設置することを特徴とする請求項１記載の傾斜吸引方向を備えた噴射装置。